(57)【要約】        【課題】  例えばスロットマシンや、いわゆる雀球機等の遊技機用の基板ケースの取付装置に関し、筐体の天板の下側の上方空間を有効に活用することができるとともに、回路基板を収納した基板ケースが不正に取り外されたり、又、交換されるのを未然に防止することができるようにしたものである。        【解決手段】  遊技機用の基板ケース(140)の取付装置は、左右のガイド(150,160)、左右のスライド溝(151,161)、左右のスライド突起(143,144)、左右のガイド(150,160)に取り付けられた状態で、天板(113)の下面と対向する基板ケース(140)の対向面に形成され、天板(113)の下面に向かって弾性的に突出するロック爪(145)、天板(113)の上下に貫通し、基板ケース(140)の取付位置において、ロック爪(145)が弾性的にはまり込むことで、左右のガイド(150,160)に対して基板ケース(140)をスライド不能に固定するためのロック穴(115)を備える。    【選択図】    図１
2008167938.tif 000002
【特許請求の範囲】
【請求項１】
遊技機用の前面が開放した中空箱形の筐体内に、回路基板を収納した基板ケースを固定するための遊技機用の基板ケースの取付装置において、
前記取付装置には、
前記筐体の天板の下面に固定され、開放前面から奥側に向かって、前記基板ケースをスライド可能に保持する左右のガイドと、
前記左右のガイドと、当該ガイドにそれぞれ対向する前記基板ケースの左右両側面とのいずれか一方に形成され、端面が前記筐体の開放前面に向かって開口し、前記筐体の奥側に向かって延びる左右のスライド溝と、
前記左右のガイドと、当該ガイドにそれぞれ対向する前記基板ケースの左右両側面とのいずれか他方に形成され、前記左右のスライド溝にそれぞれスライド可能にはまり込む左右のスライド突起と、
前記左右のガイドに取り付けられた状態で、前記天板の下面と対向する前記基板ケースの対向面に形成され、前記天板の下面に向かって弾性的に突出するロック爪と、
前記天板の上下に貫通し、前記基板ケースの取付位置において、前記ロック爪が弾性的にはまり込むことで、前記左右のガイドに対して前記基板ケースをスライド不能に固定するためのロック穴とを備えていることを特徴とする遊技機用の基板ケースの取付装置。
【請求項２】
請求項１に記載の遊技機用の基板ケースの取付装置であって、
前記ロック爪には、
前記筐体の奥側に向かって徐々に下り傾斜し、前記筐体の前記天板の下面に押されてロック爪を下降させるためのテーパー面が形成されていることを特徴とする遊技機用の基板ケースの取付装置。
【請求項３】
請求項１又は請求項２に記載の遊技機用の基板ケースの取付装置であって、
前記ロック穴は、
前記基板ケースのスライド方向に沿って複数個形成されていることを特徴とする遊技機用の基板ケースの取付装置。
【請求項４】
請求項１〜３のいずれか１項に記載の遊技機用の基板ケースの取付装置であって、
前記基板ケースは、
弾性を有する樹脂により成形され、
前記ロック爪は、
前記樹脂の弾性を利用していることを特徴とする遊技機用の基板ケースの取付装置。
【請求項５】
請求項１〜４のいずれか１項に記載の遊技機用の基板ケースの取付装置であって、
前記回路基板には、
当該回路基板の表面に電子部品を実装し、
前記基板ケースは、
前記回路基板の電子部品を実装した表面を下方に向けた状態で当該回路基板を固定するベースと、
前記ベースに固定され、前記回路基板の電子部品を実装した表面を覆うカバーとから構成され、
前記ベースには、
前記左右のスライド突起と、前記ロック爪とが形成されていることを特徴とする遊技機用の基板ケースの取付装置。
【発明の詳細な説明】
【技術分野】
【０００１】
この発明は、例えばスロットマシンや、いわゆる雀球機等の遊技機用の基板ケースの取付装置に関し、筐体の天板の下側の上方空間を有効に活用することができるとともに、回路基板を収納した基板ケースが不正に取り外されたり、又、交換されるのを未然に防止することができるようにしたものである。
【背景技術】
【０００２】
従来、筐体の内部に、回転リール等を取り付ける収納枠を固定し、当該収納枠の側方にケース取付部を設け、ケース取付部に対して基板ケースをスライドしながら取り付けることができるようにしたスロットマシンが知られている（例えば特許文献１の段落番号「００１５」〜「００１７」、図２、図８〜９参照）。
上記した従来の基板ケースは、ケース取付部にネジで固定していた（例えば特許文献１の段落番号「００２８」、図１０参照）。
【０００３】
また、筐体の側板の内側面に、基板ケースを１本のネジを使用して固定することができるようにしたスロットマシンが知られている（例えば特許文献２の段落番号「００２７」、図７〜８参照）。
【特許文献１】特開2005-46360号公報（段落番号「００１５」〜「００１７」、段落番号「００２８」、図２、図８〜１０）
【特許文献２】特開2005-192850号公報（段落番号「００２７」、図７〜８）
【発明の開示】
【発明が解決しようとする課題】
【０００４】
しかし、上記した従来の基板ケースは、筐体の側方に取り付けられていたので、筐体の内部の上方空間が活用されておらず、又、従来の基板ケースは、筐体の内部にネジで固定されているに過ぎないので、前面扉を開かれて基板ケースが不正に取り外されたり、又、交換されるおそれがあるという問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、次の点を目的とする。
【０００５】
すなわち、請求項１に記載の発明は、筐体の天板の下側の上方空間を有効に活用することができるとともに、回路基板を収納した基板ケースが不正に取り外されたり、又、交換されるのを未然に防止することができるようにしたものである。
すなわち、ホール内に配置された、遊技機の台を横一列に並べた状態で設置するための設備である、いわゆる「島」（以下、「シマ」という。）には、筐体がほぼはまり込む凹部が形成されている。当該凹部に合わせて筐体をはめ込むことで、遊技機をホール内に設置していた。このとき、筐体の天板の上面が、シマの凹部内に隠れ、筐体のロック穴を通して、基板ケースのロック爪の取り外しが不能となる。
【０００６】
このため、基板ケースを取り外すには、筐体をシマから取り外さなければならず、不正行為を行う、いわゆるゴト対策となる。
これに加えて、基板ケースを筐体の開放前面から奥側に向かってスライドさせながら装着できるので、筐体の開放前面側から基板ケースを簡単に取り付けることができる。
（請求項２）
請求項２に記載の発明は、上記した請求項１に記載の発明の目的に加え、次の点を目的とする。
【０００７】
すなわち、請求項２に記載の発明は、ロック爪にテーパー面を形成することで、基板ケースを左右のガイドに沿ってスライドさせるだけで、ロック爪のテーパー面が筐体の天板の下側に押されて引っ込むようにすることができるようにしたものである。
このため、基板ケースを簡便に且つ迅速に取り付けることができる。
（請求項３）
請求項３に記載の発明は、上記した請求項１又は請求項２に記載の発明の目的に加え、次の点を目的とする。
【０００８】
すなわち、請求項３に記載の発明は、筐体のロック穴を複数個形成することで、大きさの異なる基板ケースの取り付けが可能になったり、或いは基板ケースの取付位置を変更することができるようにしたものである。
（請求項４）
請求項４に記載の発明は、上記した請求項１〜３のいずれか１項に記載の発明の目的に加え、次の点を目的とする。
【０００９】
すなわち、請求項４に記載の発明は、基板ケースの樹脂の弾性を利用して、ロック爪を弾性的に突出させることができるようにしたものである。
このため、ロック爪を含めて基板ケースを、樹脂を使用して簡便に製造することができる。
（請求項５）
請求項５に記載の発明は、上記した請求項１〜４のいずれか１項に記載の発明の目的に加え、次の点を目的とする。
【００１０】
すなわち、請求項５に記載の発明は、回路基板を固定するベースを、ガイドを介して筐体に固定することができるようにしたものである。
このため、仮にカバーがベースから取り外されたときでも、回路基板がベース、ガイドを介して筐体に固定された状態を維持することができる。
これに加えて、回路基板の電子部品を、カバーに向かって下向きに取り付けているので、カバーを仮に透明や半透明にした場合には、カバーを透して内部の電子部品を容易に視認することができる。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１２】
第１に、遊技機（例えばスロットマシン10）用の基板ケース(140)の取付装置は、例えば図１に示すように、遊技機（例えばスロットマシン10）用の前面が開放した中空箱形の筐体(110)内に、回路基板(130)を収納した基板ケース(140)を固定するためのものである。
なお、遊技機として、スロットマシン(10)の例示したが、これに限定されず、図示しないが、いわゆる雀球機等でも良い。
【００１３】
第２に、取付装置には、例えば図１及び図３に示すように、次の構成を備える。
（１）左右のガイド(150,160)
左右のガイド(150,160)は、筐体(110)の天板(113)の下面に固定され、開放前面から奥側に向かって、基板ケース(140)をスライド可能に保持するものである。
（２）左右のスライド溝(151,161)
左右のスライド溝(151,161)は、左右のガイド(150,160)と、当該ガイド(150,160)にそれぞれ対向する基板ケース(140)の左右両側面とのいずれか一方に形成され、端面が筐体(110)の開放前面に向かって開口し、筐体(110)の奥側に向かって延びるものである。
【００１４】
なお、スライド溝(151,161)を、ガイド(150,160)に形成したが、これに限定されず、基板ケース(140)に形成しても良い。
（３）左右のスライド突起(143,144)
左右のスライド突起(143,144)は、左右のガイド(150,160)と、当該ガイド(150,160)にそれぞれ対向する基板ケース(140)の左右両側面とのいずれか他方に形成され、左右のスライド溝(151,161)にそれぞれスライド可能にはまり込むものである。
【００１５】
なお、スライド突起(143,144)を、基板ケース(140)に形成したが、これに限定されず、ガイド(150,160)に形成しても良い。
（４）ロック爪(145)
ロック爪(145)は、左右のガイド(150,160)に取り付けられた状態で、天板(113)の下面と対向する基板ケース(140)の対向面に形成され、天板(113)の下面に向かって弾性的に突出するものである。
【００１６】
（５）ロック穴(115)
ロック穴(115)は、天板(113)の上下に貫通し、基板ケース(140)の取付位置において、ロック爪(145)が弾性的にはまり込むことで、左右のガイド(150,160)に対して基板ケース(140)をスライド不能に固定するためのものである。
（請求項２）
請求項２に記載の発明は、上記した請求項１に記載の発明の特徴点に加え、次の点を特徴とする。
【００１７】
すなわち、ロック爪(145)には、例えば図６に示すように、筐体(110)の奥側に向かって徐々に下り傾斜し、筐体(110)の天板(113)の下面に押されてロック爪(145)を下降させるためのテーパー面(146)が形成されている。
（請求項３）
請求項３に記載の発明は、上記した請求項１又は請求項２に記載の発明の特徴点に加え、次の点を特徴とする。
【００１８】
すなわち、ロック穴（例えば第１〜第３ロック穴520〜522、図１０参照）は、例えば図１０に示すように、基板ケース(140)のスライド方向に沿って複数個形成されている。
（請求項４）
請求項４に記載の発明は、上記した請求項１〜３のいずれか１項に記載の発明の特徴点に加え、次の点を特徴とする。
【００１９】
第１に、基板ケース(140)は、弾性を有する樹脂により成形されている。
第２に、ロック爪(145)は、樹脂の弾性を利用している。
（請求項５）
請求項５に記載の発明は、上記した請求項１〜４のいずれか１項に記載の発明の特徴点に加え、次の点を特徴とする。
【００２０】
第１に、回路基板(130)には、例えば図４に示すように、当該回路基板(130)の表面に電子部品(131)を実装している。
第２に、基板ケース(140)は、例えば図４に示すように、次の要素から構成されている。
（１）ベース(141)
ベース(141)は、回路基板(130)の電子部品(131)を実装した表面を下方に向けた状態で当該回路基板(130)を固定するものである。
【００２１】
（２）カバー(142)
カバー(142)は、ベース(141)に固定され、回路基板(130)の電子部品(131)を実装した表面を覆うものである。
第３に、ベース(141)には、例えば図４に示すように、左右のスライド突起(143,144)と、ロック爪(145)とが形成されている。
【００２２】
なお、本請求項５では、ベース(141)は、回路基板(130)の電子部品(131)を実装した表面を下方に向けた状態で固定したが、先に説明した請求項１〜４にあって、回路基板(130)をカバー(142)に固定することも可能であり、このとき、電子部品(131)を実装した表面を上方に向けた状態で固定すれば良い。
また、本請求項５では、ベース(141)に、スライド突起(143,144)とロック爪(145)とを形成したが、先に説明した請求項１〜４にあって、スライド突起(143,144)とロック爪(145)とをカバー(142)に形成することも可能である。
【発明の効果】
【００２３】
本発明は、以上のように構成されているので、以下に記載されるような効果を奏する。
（請求項１）
請求項１に記載の発明によれば、次のような効果を奏する。
すなわち、請求項１に記載の発明によれば、筐体の天板の下側の上方空間を有効に活用することができるとともに、回路基板を収納した基板ケースが不正に取り外されたり、又、交換されるのを未然に防止することができる。
【００２４】
すなわち、ホール内に配置された、遊技機の台を横一列に並べた状態で設置するための設備である、いわゆる「島」（以下、「シマ」という。）には、筐体がほぼはまり込む凹部が形成されている。当該凹部に合わせて筐体をはめ込むことで、遊技機をホール内に設置していた。このとき、筐体の天板の上面が、シマの凹部内に隠れ、筐体のロック穴を通して、基板ケースのロック爪の取り外しが不能となる。
【００２５】
このため、基板ケースを取り外すには、筐体をシマから取り外さなければならず、不正行為を行う、いわゆるゴト対策となる。
これに加えて、基板ケースを筐体の開放前面から奥側に向かってスライドさせながら装着できるので、筐体の開放前面側から基板ケースを簡単に取り付けることができる。
（請求項２）
請求項２に記載の発明によれば、上記した請求項１に記載の発明の効果に加え、次のような効果を奏する。
【００２６】
すなわち、請求項２に記載の発明によれば、ロック爪にテーパー面を形成することで、基板ケースを左右のガイドに沿ってスライドさせるだけで、ロック爪のテーパー面が筐体の天板の下側に押されて引っ込むようにすることができる。
このため、基板ケースを簡便に且つ迅速に取り付けることができる。
（請求項３）
請求項３に記載の発明によれば、上記した請求項１又は請求項２に記載の発明の効果に加え、次のような効果を奏する。
【００２７】
すなわち、請求項３に記載の発明によれば、筐体のロック穴を複数個形成することで、大きさの異なる基板ケースの取り付けが可能になったり、或いは基板ケースの取付位置を変更することができる。
（請求項４）
請求項４に記載の発明によれば、上記した請求項１〜３のいずれか１項に記載の発明の効果に加え、次のような効果を奏する。
【００２８】
すなわち、請求項４に記載の発明によれば、基板ケースの樹脂の弾性を利用して、ロック爪を弾性的に突出させることができる。
このため、ロック爪を含めて基板ケースを、樹脂を使用して簡便に製造することができる。
（請求項５）
請求項５に記載の発明によれば、上記した請求項１〜４のいずれか１項に記載の発明の効果に加え、次のような効果を奏する。
【００２９】
すなわち、請求項５に記載の発明によれば、回路基板を固定するベースを、ガイドを介して筐体に固定することができる。
このため、仮にカバーがベースから取り外されたときでも、回路基板がベース、ガイドを介して筐体に固定された状態を維持することができる。
これに加えて、回路基板の電子部品を、カバーに向かって下向きに取り付けているので、カバーを仮に透明や半透明にした場合には、カバーを透して内部の電子部品を容易に視認することができる。
【発明を実施するための最良の形態】
【００３０】
（図面の説明）
図１〜８は、本発明の第１の実施の形態の一例をそれぞれ示すものである。
図１は、筐体を正面から見た一部断面図、図２はスロットマシンの概略正面図、図３は筐体を側面から見た一部断面図、図４は基板ケースの分解断面図、図５は組立て状態の基板ケースを正面から見た断面図、図６は組立て状態の基板ケースを側面から見た断面図、図７は組立て状態の基板ケースを上方から見た断面図、図８はスロットマシンの動作を説明するためのブロック図をそれぞれ示すものである。
【００３１】
図９〜１６は、本発明の第２の実施の形態の一例をそれぞれ示すものである。
図９は、筐体を正面から見た正面図、図１０は筐体を側面から見た側面図、図１１は組立て状態の基板ケースを正面から見た正面図、図１２は組立て状態の基板ケースを側面から見た側面図、図１３は組立て状態の基板ケースを上方から見た平面図、図１４はガイドを正面から見た正面図、図１５はガイドを側面から見た側面図、図１６はガイドを上方から見た平面図をそれぞれ示すものである。
（図２のスロットマシン10の正面図の説明）
図２中、10は、遊技機であるスロットマシンを示すものである。
【００３２】
なお、遊技機として、スロットマシン10を例示したが、これに限定されず、図示しないが、いわゆる雀球機等でも良い。
スロットマシン10の高さの中央には、透明な方形の表示窓20を設けている。
表示窓20の内部には、リールユニット30を配置している。
リールユニット30は、表示窓20に臨む複数個、例えば３個の回転リール31〜33と、各回転リール31〜33を個々に回転可能な、複数個、例えば３個の回転リール31〜33と同数の３個のリールモータ34〜36（図８参照）とを備える。
【００３３】
なお、回転リール31〜33及びリールモータ34〜36の個数は、３個に限定されず、２個、或いは４個以上でも良い。
画像表示装置40は、画像を表示可能なものであり、例えば液晶ユニットから構成されている。
なお、画像表示装置40として、液晶ユニットを例示したが、これに限定されず、例えばドット・マトリックス等から構成しても良い。
【００３４】
表示窓20の下側には、図２の向かって右側に、メダル投入口50を設けている。メダル投入口50は、メダルを投入するためのものである。
メダル投入口50の図２の向かって左側には、複数個、例えば３個のベットスイッチ60〜62を設けている。３個のベットスイッチ60〜62のうち、図２の向かって左側のＭＡＸベットスイッチ60は、最大投入枚数、例えば３枚のクレジットメダルをスロットマシン10の内部に投入するためのものである。残る２個のベットスイッチ61〜62のうち、スロットマシン10の手前側に位置する２ベットスイッチ61は、２枚のクレジットメダルをスロットマシン10の内部に投入するためのものである。残るスロットマシン10の奥側に位置する１ベットスイッチ62は、１枚のクレジットメダルをスロットマシン10の内部に投入するためのものである。
【００３５】
なお、ベットスイッチ60〜62の個数は、３個に限定されず、単数としても良いし、２個、或いは４個以上としても良い。
３個のベットスイッチ60〜62の下側には、スタートスイッチ70を設けている。
スタートスイッチ70は、所定数の賭数設定を条件に、３個のリールモータ34〜36を駆動することで、３個の回転リール31〜33の回転を開始させるためのものである。
【００３６】
なお、所定数の賭数設定を条件としては、メダル投入口50からのメダルの投入、後述するが、クレジットを利用してのベットスイッチ60〜62の操作による賭数の設定、さらにカードの度数等が考えられるが、これらに限定されるものではない。
具体的には、スタートスイッチ70は、レバー状に形成され、レバーを傾けることで操作する。スタートスイッチ70を操作すると、リールユニット30の駆動が開始され、３個のリールモータ34〜36（図８参照）が回転する。
【００３７】
スタートスイッチ70の向かって右隣には、複数個、例えば３個の回転リール31〜33と同数の３個のストップスイッチ80〜82を設けている。
３個のストップスイッチ80〜82は、リールユニット30の駆動を停止するためのものである。向かって左側のストップスイッチ80を操作すると、左側の回転リール31の回転が停止する。同様に、中央のストップスイッチ81を操作すると、中央の回転リール32の回転が停止する。右側のストップスイッチ82を操作すると、右側の回転リール33の回転が停止する。
【００３８】
なお、ストップスイッチ80〜82は、３個に限定されず、回転リール31〜33やリールモータ34〜36の個数と等しければ良い。
３個のストップスイッチ80〜82の下側には、メダル貯留皿90を設けている。
メダル貯留皿90には、後述する図８のホッパーユニット170から払い出されたメダルが貯留される。
【００３９】
メダル貯留皿90の右側には、１個のスピーカ100が配置されている。スピーカ100からは、各種の効果音が発生される。
（図１及び図３のスロットマシン10の内部構造の説明）
スロットマシン10には、図１及び図３に示すように、大別すると、次のパーツを備える。
【００４０】
なお、スロットマシン10のパーツは、次の（１）〜（２）に限定されない。
（１）筐体110
筐体110は、前面が開放した中空箱形に形成されている。
具体的には、筐体110は、図１及び図３に示すように、左右一対の側板111,112と、左右の側板111,112間の上面に固定された天板113と、図示しないが、左右の側板111,112間の下面に固定された底板とから構成されている。そして、筐体110の背面は、図３に示すように、背板114で塞がれている。
【００４１】
なお、背板114は、筐体110の背面の全部塞ぐもののほか、背面の一部を塞ぐものでも良い。
（２）前面扉120
前面扉120は、筐体110の左右の側板111,112の一方、例えば正面から見て左側板111に、図示しないが、ヒンジを介した開閉可能に取り付けられ、閉じた状態で筐体110の開放前面を閉じるものであり、当該閉状態で、図示しないが、施錠装置により施錠される。
（筐体110）
筐体110の内部には、図１及び図３に示すように、次のパーツを備える。
【００４２】
（１）回路基板130
（２）基板ケース140
（３）左右のガイド150,160
なお、筐体110の内部のパーツは、次の（１）〜（３）に限定されない。
（回路基板130）
回路基板130は、図４に示すように、その下面である表面に、例えばＣＰＵ、ＲＡＭ、ＲＯＭ等の電子部品131を実装している。
（基板ケース140）
基板ケース140は、図４に示すように、回路基板130を収納可能な中空箱形に形成されている。そして、基板ケース140は、内部に収納した回路基板130の電子部品131を透けて見えるように、透明或いは半透明の材料を使用して形成されている。
【００４３】
また、基板ケース140は、図１及び図３に示すように、次のパーツから構成されている。
（１）ベース141
（２）カバー142
なお、基板ケース140のパーツは、上記した（１）〜（２）に限定されない。
（ガイド150,160）
ガイド150,160は、図１及び図３に示すように、筐体110の天板113の下面に固定され、開放前面から奥側に向かって、基板ケース140をスライド可能に保持するものである。
【００４４】
具体的には、ガイド150,160は、図１に示すように、断面がクランク形に屈曲し、左右が対称な形状を成している。
また、ガイド150,160の全長は、図３に示すように、基板ケース140のスライド方向の全長以上に設定されている。
具体的には、ガイド150,160の全長は、筐体110の奥行きより短く設定し、しかも奥行きの半分より背板114寄りにガイド150,160を固定している。これは、不正の防止の観点から、基板ケース140を筐体110の奥側に可能な限り固定するためである。
【００４５】
なお、ガイド150,160の全長を、筐体110の奥行きに等しく設定しても良い。
一方、ガイド150,160には、図１に示すように、次の部分を備える。
なお、ガイド150,160の部分は、次の（１）に限定されない。
（１）左右のスライド溝151,161
左右のスライド溝151,161は、図１に示すように、左右のガイド150,160にそれぞれ形成され、端面が筐体110の開放前面に向かって開口し、筐体110の奥側に向かって延びるものである。
【００４６】
なお、スライド溝151,161を、ガイド150,160に形成したが、これに限定されず、基板ケース140に形成しても良い。
具体的には、スライド溝151,161は、図１に示すように、相対向して内側に向かって開口した断面コ字形に形成されている。すなわち、スライド溝151,161は、ガイド150,160を天板113の下面に固定した際に、ガイド150,160と天板113の下面とで囲まれた空間内に形成される。
（ベース141）
ベース141は、図４に示すように、回路基板130の電子部品131を実装した表面を下方に向けた状態で当該回路基板130を固定するものである。
【００４７】
具体的には、ベース141には、図４に示すように、次の部分を備える。
なお、ベース141の部分は、次の（１）〜（２）に限定されない。
（１）左右のスライド突起143,144
左右のスライド突起143,144は、図１及び図３に示すように、ベース141の左右両側にそれぞれ形成され、左右のスライド溝151,161にそれぞれスライド可能にはまり込むものである。
【００４８】
なお、スライド突起143,144を、基板ケース140に形成したが、これに限定されず、ガイド150,160に形成しても良い。
具体的には、スライド突起143,144は、図４に示すように、ベース141の左右両側面から外側に向かって矩形に一体的に突出し、スライド溝151,161にはまり込む大きさに形成されている。また、スライド突起143,144のスライド方向の全長は、図３に示すように、スライド溝151,161の全長にほぼ等しく設定されている。
【００４９】
（２）ロック爪145
ロック爪145は、左右のガイド150,160に取り付けられた状態で、天板113の下面と対向するベース141の対向面に形成され、天板113の下面に向かって弾性的に突出するものである。
また、ロック爪145には、図６に示すように、筐体110の奥側に向かって徐々に下り傾斜し、筐体110の天板113の下面に押されてロック爪145を下降させるためのテーパー面146が形成されている。このため、ロック爪145は、断面が略台形形に形成されている。
【００５０】
具体的には、ベース141は、弾性を有する樹脂により成形され、ロック爪145は、樹脂の弾性を利用している。
すなわち、ベース141には、図７に示すように、ベース141の表裏面に貫通するコ字形のスリット147を形成し、当該スリット147に三方が囲まれた内側にロック爪145を形成している。
【００５１】
ロック爪145は、スリット147の無い薄肉のヒンジ部を介してベース141に連なり、当該ヒンジ部は、基板ケース140をガイド150,160に取り付ける際のスライド方向の前方に位置させている。テーパー面146は、ヒンジ部と反対側のロック爪145の自由端部からヒンジ部に向かって下り傾斜させ、基板ケース140をスライド方向に前進させた際に、テーパー面146が天板113の下面に押されて、ヒンジ部を中心にロック爪145が基板ケース140内にたわみ込めるようにしている。
【００５２】
なお、ロック爪145は、図７に示すように、ベース141の中央に配置している。
一方、ロック爪145に対し、筐体110の天板113には、図１及び図３に示すように、ロック穴115を備える。
ロック穴115は、図１及び図３に示すように、天板113の上下に貫通し、基板ケース140の取付位置において、ロック爪145が弾性的にはまり込むことで、左右のガイド150,160に対して基板ケース140をスライド不能に固定するためのものである。
【００５３】
具体的には、ロック穴115は、図１及び図３に示すように、基板ケース140のスライド方向に長い長方形状に形成されている。
なお、ロック穴115の深さは、天板113の板厚に等しく、ロック爪145の突出量は、図３に示すように、ロック穴115の深さの半分程度に設定されている。
（カバー142）
カバー142は、ベース141に固定され、回路基板130の電子部品131を実装した表面を覆うものである。
【００５４】
具体的には、カバー142は、ベース141と同様に樹脂で成形され、ベース141に固定された回路基板130の電子部品131が透けて見えるように、透明或いは半透明の樹脂が使用されている。
カバー142は、ベース141に回路基板130が固定された状態で、被せられ、図示しないが、ネジ等を使用して、ベース141に取り外しが不能で、且つ取り外したときに痕跡が残るように固定される。
（図８の遊技制御装置200）
つぎに、図８を用いて、遊技制御装置200について説明する。
【００５５】
遊技制御装置200は、スロットマシン10の内部に設けられ、遊技の進行を制御するためのものである。
具体的には、遊技制御装置200は、大別すると、次の２つの手段を備える。
なお、次の（１）〜（２）の手段の説明については、後述する。
（１）遊技用制御手段300
（２）演出用制御手段400
なお、遊技制御装置200の手段は、上記した（１）〜（２）に限定されない。
（遊技用制御手段300）
つぎに、図１を用いて、遊技用制御手段300について説明する。
【００５６】
遊技用制御手段300は、遊技の進行を制御するためのものである。
具体的には、遊技用制御手段300は、コンピュータであって、図示しないが、例えばＣＰＵを中心に構成され、ＲＯＭやＲＡＭ等の記録媒体、Ｉ／Ｏ等を備えている。
また、記録媒体は、ＲＯＭやＲＡＭに限定されず、そのほか電気的・磁気的・光学的なメモリーやディスク等でも良い。
【００５７】
遊技用制御手段300のＣＰＵ（図示せず）は、記録媒体、例えばＲＯＭに記録されたプログラムを読み込むことで、図１に示すように、次の手段として機能する。
なお、次の（１）〜（５）の手段の説明については、後述する。
（１）役抽選手段310
（２）リール停止制御手段320
（３）一般遊技制御手段330
（４）特別遊技制御手段340
（５）利益付与手段350
なお、遊技用制御手段300の手段は、上記した（１）〜（５）に限定されない。
（遊技用制御手段300の入力段）
つぎに、図１を用いて、遊技用制御手段300の入力段について説明する。
【００５８】
遊技用制御手段300の入力段には、次のパーツがそれぞれ接続されている。
なお、遊技用制御手段300の入力段に接続されるパーツは、次の（１）〜（４）に限定されない。
（１）メダルセンサー51
メダルセンサー51は、メダル投入口50の内部に設けられ、メダル投入口50に投入されたメダルを検出するためのものである。
【００５９】
（２）ベットスイッチ60〜62
（３）スタートスイッチ70
（４）ストップスイッチ80〜82
（遊技用制御手段300の出力段）
つぎに、図１を用いて、遊技用制御手段300の出力段について説明する。
【００６０】
遊技用制御手段300の出力段には、次のパーツがそれぞれ接続されている。
なお、遊技用制御手段300の出力段に接続されるパーツは、次の（１）〜（２）に限定されない。
（１）リールモータ34〜36
（２）ホッパーユニット170
（演出用制御手段400）
演出用制御手段400は、遊技用制御手段300に接続され、遊技用制御手段300から一方向に送信される信号、例えばコマンドやデータ等にもとづいて、各種の演出を制御するためのものである。
【００６１】
具体的には、演出用制御手段400は、コンピュータであって、図示しないが、例えばＣＰＵを中心に構成され、ＲＯＭやＲＡＭ等の記録媒体、Ｉ／Ｏ等を備えている。
なお、演出用制御手段400のＣＰＵの数は、１個に限定されず、２個以上のＣＰＵを用いても良い。
また、記録媒体は、ＲＯＭやＲＡＭに限定されず、そのほか電気的・磁気的・光学的なメモリーやディスク等でも良い。
【００６２】
上記演出用制御手段400のＣＰＵ（図示せず）は、記録媒体、例えばＲＯＭに記録されたプログラムを読み込むことで、図１に示すように、大別すると、次の手段として機能する。
なお、次の（１）〜（３）の手段の説明については、後述する。
（１）演出抽選手段410
（２）画像制御手段420
（３）効果音発生手段430
なお、演出用制御手段400の手段は、上記した（１）〜（３）に限定されない。
（演出用制御手段400の入力段）
つぎに、図１を用いて、演出用制御手段400の入力段について説明する。
【００６３】
演出用制御手段400の入力段には、次のパーツが接続されている。
（１）遊技用制御手段300
なお、演出用制御手段400の入力段に接続されるパーツは、上記した（１）に限定されない。
（演出用制御手段400の出力段）
つぎに、図１を用いて、演出用制御手段400の出力段について説明する。
【００６４】
演出用制御手段400の出力段には、次のパーツがそれぞれ接続されている。
（１）画像表示装置40
（２）スピーカ100
なお、演出用制御手段400の出力段に接続されるパーツは、上記した（１）〜（２）に限定されない。
（役抽選手段310）
役抽選手段310は、図１に示すように、役の当否を抽選により決定するものである。
【００６５】
まず、役の当否には、次の種類がある。
（１）役の当選
（２）ハズレ
役には、図６に示すように、次の種類がある。
なお、次の（３）〜（５）の役の説明については、後述する。
【００６６】
また、役は、役のうち１個だけ当選する場合のほか、複数の役が同時に２以上、当選する場合もあり、役抽選手段310はいわゆるグループ抽選が可能となっている。
（３）小役
（４）再遊技（リプレイ）
（５）特別遊技（ボーナス）
なお、役の種類は、上記した（３）〜（５）に限定されない。
（小役）
小役は、図示しないが、例えば「ベル」や「スイカ」などの予め設定された小役図柄が、図５〜６の用いて後述するが、メダルを投入することで有効となったライン21〜25（以下、「有効ライン」という。）上に１個や２個出現したり、或いは３個揃うことで入賞となり、所定枚数のメダルを払い出すための役である。
（再遊技）
再遊技は、いわゆるリプレイとも呼ばれ、図６に示すように、予め設定された再遊技図柄（リプレイ図柄）が有効ライン上に３個揃うことを条件に、メダルを投入すること無しに次回の遊技を行えるという役である。
（ボーナス）
ボーナスは、特別遊技の一例である。
【００６７】
特別遊技は、一般遊技より遊技者に有利な遊技である。
なお、特別遊技として、ボーナスを例示したが、これに限定されない。
ボーナスは、次の種類がある。
なお、ボーナスの種類は、次の（１）〜（３）に限定されない。
（１）ＢＩＧ大当り
ＢＩＧ大当りは、いわゆるビッグ・ボーナス（以下、「ＢＢ」という。）への移行役である。
【００６８】
すなわち、図示しないが、ＢＢ図柄が有効ライン上に３個揃うことで入賞となり、後述する図１の一般遊技制御手段330による一般遊技から、後述する特別遊技制御手段340による特別遊技であるＢＢへ移行させるための役である。
なお、ＢＢ図柄の入賞時に、メダルを払い出さなくとも良いし、或いはメダルを１枚払い出すようにしても良い。
【００６９】
ＢＢの開始後、遊技者がメダルを３枚投入すると仮定すると、トータルで約２８８枚のメダルが獲得可能であり、例えば３４５枚を超える払い出しで終了する。
（２）ＭＩＤ大当り
ＭＩＤ大当りは、いわゆるミドル・ボーナス（以下、「ＭＩＤ」という。）への移行役である。
【００７０】
図示しないが、ＭＩＤ図柄が有効ライン上に３個揃うことで入賞となり、後述する図１の一般遊技制御手段330による一般遊技から、後述する特別遊技制御手段340による特別遊技であるＭＩＤへ移行させるための役である。
なお、ＭＩＤ図柄の入賞時に、メダルを払い出さなくとも良いし、或いはメダルを１枚払い出すようにしても良い。
【００７１】
ＭＩＤの開始後、遊技者がメダルを３枚投入すると仮定すると、トータルで約１９２枚のメダルが獲得可能であり、例えば２５３枚を超える払い出しで終了する。なお、ＭＩＤは、ＢＢに比較して、遊技者が獲得できるメダルの枚数が低く設定されている。
（３）ＲＥＧ大当り
ＲＥＧ大当りは、いわゆるレギュラー・ボーナス（以下、「ＲＥＧ」という。）への移行役である。
【００７２】
ＲＥＧの開始後、遊技者がメダルを３枚投入すると仮定すると、トータルで約９６枚のメダルが獲得可能である。ＲＥＧは、最高１２回のゲームか、８回の入賞か、いずれか先に達成された条件により終了する。なお、ＲＥＧは、ＭＩＤに比較して、遊技者が獲得できるメダルの枚数が低く設定されている。
（リール停止制御手段320）
リール停止制御手段320は、役抽選手段310による抽選により決定した遊技結果、及びストップスイッチ80〜82の操作にもとづいて、当該ストップスイッチ80〜82に対応するリールモータ34〜36の停止制御を行うためのものである。
（一般遊技制御手段330）
一般遊技制御手段330は、一般遊技を行わせるためのものである。
（特別遊技制御手段340）
特別遊技制御手段340は、一般遊技より遊技者に有利な特別遊技、例えば各種のボーナスを行わせるためのものである。
（利益付与手段350）
利益付与手段350は、小役等が入賞した場合に、予め設定された所定の枚数のメダルを払い出すためのものである。
【００７３】
メダルの払い出しは、ホッパーユニット170を駆動させることにより、メダルを実際に払い出しても良いし、或いはクレジットメダル枚数を増加させるようにしても良い。
（演出抽選手段410）
演出抽選手段410は、役抽選手段310の抽選結果信号にもとづいて、演出抽選、例えばＡＴの開始の当否の抽選を行うためのものである。
（画像制御手段420）
画像制御手段420は、演出抽選手段410の演出抽選の結果にもとづいて、各種の演出画像を画像表示装置40に表示させるためのものである。
（効果音発生手段430）
効果音発生手段430は、遊技の進行に従って各種の効果音を、スピーカ100から出力させるためのものである。
（スロットマシン10の設置方法）
つぎに、上記した構成を備えたスロットマシン10の設置方法について、簡単に説明する。
【００７４】
図示しないが、スロットマシン10の台を横一列に並べた状態で設置するための設備である、いわゆる「島」（以下、「シマ」という。）には、筐体110がほぼはまり込む凹部が形成されている。当該凹部110に合わせて筐体110をはめ込むことで、スロットマシン10をホール内に設置する。
スロットマシン10を設置すると、図示しないが、シマの上方に設置された幕板により、筐体110の天板113の上面がシマ内に隠れる。
【００７５】
このため、前面扉120を開いても、筐体110の内部からでは、天板113のロック穴115にはまり込んだ基板ケース140のロック爪145が外れないので、基板ケース140を取り外すことが不可能である。
基板ケース140を取り外すには、筐体110をシマから取り外し、その天板113のロック穴115から基板ケース140のロック爪145を、その弾性に抗して押し込むことが必要なる。ロック爪145を押し込むと、ロック穴115から外れ、基板ケース140を左右のガイド150,160に沿ってスライドさせながら手前側に引き抜けば良い。
【００７６】
その後、基板ケース140を取り付ける際には、左右のガイド150,160に沿ってスライドさせながら押し込むことで、ロック爪145がテーパー面146の作用により一旦、引っ込んだ後、ロック穴115の位置まで進行すると、弾性復元力により突出し、ロック穴115にはまり込んで、基板ケース140は左右のガイド150,160を介して筐体110内に固定される。
（第１の実施の形態による効果）
第１の実施の形態によれば、次のような効果を奏する。
【００７７】
第１に、回路基板130を収納した基板ケース140が不正に取り外されたり、又、交換されるのを未然に防止することができる。
すなわち、図示しないが、ホール内に配置されたシマには、筐体110がほぼはまり込む凹部が形成されている。当該凹部に合わせて筐体110をはめ込むことで、スロットマシン10をホール内に設置していた。このとき、筐体110の天板113の上面が、シマの凹部内に隠れ、筐体110のロック穴115を通して、基板ケース140のロック爪145の取り外しが不能となる。
【００７８】
このため、基板ケース140を取り外すには、筐体110をシマから取り外さなければならず、不正行為を行う、いわゆるゴト対策となる。
これに加えて、基板ケース140を筐体110の開放前面から奥側に向かってスライドさせながら装着できるので、筐体110の開放前面側から基板ケース140を簡単に取り付けることができる。
【００７９】
第２に、ロック爪145にテーパー面146を形成することで、基板ケース140を左右のガイド150,160に沿ってスライドさせるだけで、ロック爪145のテーパー面146が筐体110の天板の下側に押されて引っ込むようにすることができる。
このため、基板ケース140を簡便に且つ迅速に取り付けることができる。
第３に、筐体110のロック穴（例えば図１６を用いて後述する第１〜第３のロック穴520〜522）を複数個形成することで、大きさの異なる基板ケース140の取り付けが可能になったり、或いは基板ケース140の取付位置を変更することができる。
（図９以降の第２の実施の形態）
つぎに、図９〜１６を用いて、本発明の第２の実施の形態の一例について説明する。
【００８０】
本実施の形態の特徴は、基板ケース140を取り外したときに、その痕跡が残るようにした点である。
具体的には、基板ケース140の取付装置は、図９〜１６に示すように、次のパーツを備える。
なお、次の（１）〜（４）のパーツの説明については、後述する。
【００８１】
（１）左右の凸部500,510
（２）左右の第１〜第３凹部530〜532,540〜542
（３）左右の切断部550〜551,560〜561
（４）第１〜第３のロック穴520〜522
なお、取付装置のパーツは、上記した（１）〜（４）に限定されない。
【００８２】
また、上記した（１）〜（４）のパーツを除く各構成については、先に図１〜８を用いて説明した第１の実施の形態のものと同一の符号を付して、具体的な説明を省略する。
（左右の凸部500,510）
左右の凸部500,510は、左右のスライド突起143,144にそれぞれ形成され、左右のスライド溝151,161に向かって弾性的に突出するものである。
【００８３】
なお、凸部500,510を、スライド突起143,144に形成したが、これに限定されず、スライド溝151,161に形成しても良い。
具体的には、ベース141は、弾性を有する樹脂により成形され、凸部500,510は、樹脂の弾性を利用している。
すなわち、左右の凸部500,510は、先に図１〜８を用いて説明した第１の実施の形態のロック爪145と同様な構造に形成されている。
【００８４】
左右の凸部500,510には、図１１〜１３に示すように、次の部分を備える。
なお、凸部500,510の部分は、次の（１）〜（２）に限定されない。
（１）テーパー面501,511
テーパー面501,511は、図１３に示すように、筐体110の奥側に向かって徐々に下り傾斜し、スライド溝151,161の内面に押されて凸部500,510を左右内向きにたわみ込ませるためのものである。このため、凸部500,510は、断面が略台形形に形成されている。
【００８５】
（２）スリット502,512
スリット502,512は、図１２に示すように、スライド突起143,144にコ字形に形成され、当該スリット502,512に三方が囲まれた内側に凸部500,510を形成している。
凸部500,510は、スリット502,512の無い薄肉のヒンジ部を介して凸部500,510に連なり、当該ヒンジ部は、基板ケース140をガイド150,160に取り付ける際のスライド方向の前方に位置させている。テーパー面501,511は、ヒンジ部と反対側の凸部500,510の自由端部からヒンジ部に向かって下り傾斜させ、基板ケース140をスライド方向に前進させた際に、テーパー面501,511がスライド溝151,161の内面に押されて、ヒンジ部を中心に凸部500,510が凸部500,510内にたわみ込めるようにしている。
（左右の第１〜第３凹部530〜532,540〜542）
左右の第１〜第３凹部530〜532,540〜542は、左右のスライド溝151,161にそれぞれ形成され、左右の凸部500,510がそれぞれはまり込むことで、当該左右の凸部500,510を取り外し不能に固定するためのものである。
【００８６】
なお、第１〜第３凹部530〜532,540〜542を、スライド溝151,161に形成したが、これに限定されず、スライド突起143,144に形成しても良い。
左右の第１〜第３凹部530〜532,540〜542は、基板ケース140のスライド方向に沿って所定の間隔で複数個、例えば３個形成する。
なお、第１〜第３凹部530〜532,540〜542を、複数個形成したが、これに限定されず、１個でも良く、このとき、凸部500,510を複数個形成したり、或いは凸部500,510と第１〜第３凹部530〜532,540〜542の両方を複数個形成しても良い。また、第１〜第３凹部530〜532,540〜542を、３個形成したが、これに限定されず、２個或いは４個以上形成しても良い。
【００８７】
一方、各第１〜第３凹部530〜532,540〜542は、左右のガイド150,160の表裏面に貫通した貫通穴であって、基板ケース140のスライド方向に長い長方形状に形成されている。このため、左右の凸部500,510は、図９に示すように、左右の第１〜第３凹部530〜532,540〜542の１組にはまり込んだ状態で、左右外向きに一部突出する。
なお、各第１〜第３凹部530〜532,540〜542を、貫通穴としたが、これに限定されず、行き止まりの構造としても良い。
（左右の切断部550〜551,560〜561）
左右の切断部550〜551,560〜561は、図１５〜１６に示すように、隣接する第１〜第３凹部530〜532,540〜542の間に、左右の凸部500,510と左右の第１〜第３凹部530〜532,540〜542とが互いにはまり込んだ状態で、左右のガイド150,160を長さ方向と直交する方向に切断することで、基板ケース140の取り外しを可能とするためのものである。
【００８８】
具体的には、切断部550〜551,560〜561は、図１６に示すように、ガイド150,160の切断を容易にするための点線上の切欠部552,562を形成している。
なお、切断部550〜551,560〜561に、切欠部552,562を形成したが、これに限定されず、薄肉部や切り込み等を設けても良い。
（第１〜第３のロック穴520〜522）
第１〜第３のロック穴520〜522は、図１０及び図１６に示すように、筐体110の天板113に複数個、例えば３個形成されている。
【００８９】
なお、第１〜第３のロック穴520〜522を、３個形成したが、これに限定されず、２個或いは４個以上形成しても良い。
第１〜第３のロック穴520〜522は、次の通りである。
（１）第１ロック穴520
第１ロック穴520は、天板113の上下に貫通するとともに、筐体110の開放前面側に最も近接した第１の取付位置において、左右の凸部500,510と左右の第１凹部530,540とが互いにはまり込んだ状態で、ロック爪145が弾性的にはまり込むことで、左右のガイド150,160に対して基板ケース140をスライド不能に固定するためのものである。
【００９０】
（２）第２ロック穴521
第２ロック穴521は、上記第１の取付位置より天板113の奥側に位置する第２の取付位置において、左右の凸部500,510と第２凹部531,541とが互いにはまり込んだ状態で、ロック爪(145)が弾性的にはまり込むものである。
（３）第３ロック穴522
第３ロック穴522は、上記第２の取付位置より天板113の奥側に位置する第３の取付位置において、左右の凸部500,510と第３凹部532,542とが互いにはまり込んだ状態で、ロック爪(145)が弾性的にはまり込むものである。
（基板ケース140の着脱方法）
つぎに、上記した構成を備えた取付装置による基板ケース140の着脱方法について、簡単に説明する。
【００９１】
基板ケース140を取り付ける際には、左右のガイド150,160に沿ってスライドさせながら押し込むことで、左右の凸部500,510が左右の第１凹部530,540にそれぞれはまり込み、このとき、ロック爪145が第１ロック穴520にはまり込むことで、基板ケース140は左右のガイド150,160を介して筐体110内に固定される。
一方、基板ケース140を取り外すには、左右のガイド150,160を切断部550,560から切断して除去することで、左右の凸部500,510が左右のガイド150,160から外れ、基板ケース140の取り外しが可能となる。
【００９２】
すなわち、基板ケース140を斜め下向きに、手前側に引き出すようにスライドさせることで、天板113のロック穴115にはまり込んでいた基板ケース140のロック爪145が外れ、基板ケース140の取り外しが可能となる。
なお、筐体110をシマから取り外し、その天板113のロック穴115から基板ケース140のロック爪145を、その弾性に抗して押し込むことで、ロック爪145をロック穴115から外してから、基板ケース140を取り外すようにしても良い。
【００９３】
基板ケース140を取り外した状態では、左右のガイド150,160を切断部550,560から切断されていることから、３個有った左右の第１〜第３凹部530〜532,540〜542が、２個に減少していることから、基板ケース140を一度、取り外した痕跡が残る。
その後、基板ケース140を取り付ける際には、図示しないが、左右の凸部500,510が左右の第２凹部531,541にそれぞれはまり込み、このとき、ロック爪145が第２ロック穴521にはまり込むことで、基板ケース140は左右のガイド150,160を介して筐体110内に固定される。
【００９４】
同様に、左右のガイド150,160を切断部551,561から切断した後は、図示しないが、左右の凸部500,510が左右の第３凹部532,542にそれぞれはまり込み、このとき、ロック爪145が第３ロック穴522にはまり込むことで、基板ケース140は左右のガイド150,160を介して筐体110内に固定される。
このように、基板ケース140は、第１〜第３凹部530〜532,540〜542や第１〜第３のロック穴520〜522の穴の数分だけ、着脱が可能となる。
（第２の実施の形態による効果）
第２の実施の形態によれば、次のような効果を奏する。
【００９５】
第１に、基板ケース140を取り外したときに、その痕跡が残るようにすることができる。
このため、基板ケース140を取り外すと、その痕跡が残るので、不正行為を行う、いわゆるゴト対策となる。
これに加えて、基板ケース140を筐体の開放前面から奥側に向かってスライドさせながら装着できるので、筐体110の開放前面側から基板ケース140を簡単に取り付けることができる。
【００９６】
第２に、基板ケース140の複数回の取り外しや交換を可能とすることができる。
【図面の簡単な説明】
【００９７】
【図１】第１の実施の形態の一例を示し、同図は筐体を正面から見た一部断面図である。
【図２】スロットマシンの概略正面図である。
【図３】筐体を側面から見た一部断面図である。
【図４】基板ケースの分解断面図である。
【図５】組立て状態の基板ケースを正面から見た断面図である。
【図６】組立て状態の基板ケースを側面から見た断面図である。
【図７】組立て状態の基板ケースを上方から見た断面図である。
【図８】スロットマシンの動作を説明するためのブロック図である。
【図９】第２の実施の形態の一例を示し、筐体を正面から見た正面図である。
【図１０】筐体を側面から見た側面図である。
【図１１】組立て状態の基板ケースを正面から見た正面図である。
【図１２】組立て状態の基板ケースを側面から見た側面図である。
【図１３】組立て状態の基板ケースを上方から見た平面図である。
【図１４】ガイドを正面から見た正面図である。
【図１５】ガイドを側面から見た側面図である。
【図１６】ガイドを上方から見た平面図である。
【符号の説明】
【００９８】
（第１の実施の形態）
10  スロットマシン（遊技機）      20  表示窓
30  リールユニット                31〜33  回転リール
34〜36  リールモータ
40  画像表示装置
50  メダル投入口                  51  メダルセンサー
60〜62  ベットスイッチ            70  スタートスイッチ
80〜82  ストップスイッチ          90  メダル貯留皿
100  スピーカ
110  筐体                         111,112  側板
113  天板                         114  背板
115  ロック穴
120  前面扉
130  回路基板                     131  電子部品
140  基板ケース                   141  ベース
142  カバー                       143,144  スライド突起
145  ロック爪                     146  テーパー面
147  スリット
150,160  ガイド                   151,161  スライド溝
170  ホッパーユニット
200  遊技制御装置                 300  遊技用制御手段
310  役抽選手段                   320  リール停止制御手段
330  一般遊技制御手段             340  特別遊技制御手段
350  利益付与手段                 400  演出用制御手段
410  演出抽選手段                 420  画像制御手段
430  効果音発生手段
（第２の実施の形態）
500,510  凸部                     501,511  テーパー面
502,512  スリット
520〜522  第１〜第３ロック穴
530〜532,540〜542  第１〜第３凹部
550〜551,560〜561  第１〜第２切断部     552,562  切欠部
【図１】
2008167938.tif 000003
【図２】
2008167938.tif 000004
【図３】
2008167938.tif 000005
【図４】
2008167938.tif 000006
【図５】
2008167938.tif 000007
【図６】
2008167938.tif 000008
【図７】
2008167938.tif 000009
【図８】
2008167938.tif 000010
【図９】
2008167938.tif 000011
【図１０】
2008167938.tif 000012
【図１１】
2008167938.tif 000013
【図１２】
2008167938.tif 000014
【図１３】
2008167938.tif 000015
【図１４】
2008167938.tif 000016
【図１５】
2008167938.tif 000017
【図１６】
2008167938.tif 000018